(57)【要約】【課題】複数のキャリアテープを順次確実に送る。【解決手段】部品供給装置１０は、主テープ経路Ｐ０と、主テープ経路Ｐ０に接続された第１及び第２の副テープ経路Ｐ１、Ｐ２と、上側の第１の副テープ経路Ｐ１上のキャリアテープ２００のテープ幅方向の一方側及び他方側を下方からガイドする第１及び第２のテープガイド部３２Ｌ、３２Ｒと、第１のテープガイド部３２Ｌとの間に間隙を形成するように配置されたローラ本体部３４ａ及び送り孔２０８に係合するピン３４ｃを備え、キャリアテープ２００のテープ送り方向Ａに対する逆方向の移動を規制するピンローラ３４とを有する。送り孔２０８からピン３４ｃが退避するように第１のテープガイド部３２Ｌがピンローラ３４からテープ厚み方向に離間し、第１の副テープ経路Ｐ１上のキャリアテープ２００が第１及び第２のテープガイド部３２Ｌ、３２Ｒの間を通過して第２の副テープ経路Ｐ２上に移動される。【選択図】図３
2015115412.tif 000002
【特許請求の範囲】
【請求項１】
複数の送り孔がテープ長手方向に並んでそれぞれ形成されている複数のキャリアテープを、順次、テープ長手方向であるテープ送り方向に送る部品供給装置において、
主テープ経路と、
主テープ経路のテープ送り方向の上流側端にそれぞれ接続され、テープ厚み方向の異なる位置にそれぞれ配置される第１および第２の副テープ経路と、
第２のテープ経路の上方に位置する第１の副テープ経路上のキャリアテープにおけるテープ幅方向の一方側および他方側をそれぞれ下方側よりガイドする第１および第２のテープガイド部と、
第１のテープガイド部との間に薄いキャリアテープが通過可能なテープ厚み方向が少なくとも０．１５ｍｍの間隙を形成するように配置されて一方向に回転するローラ本体部および該ローラ本体部の外周部に設けられて第１の副テープ経路上のキャリアテープのテープ幅方向の一方側に位置する送り孔に係合するピンを備え、送り孔にピンが係合しているキャリアテープのテープ送り方向に対する逆方向の移動を規制するピンローラと、を有し、
第１の副テープ経路上のキャリアテープがその送り孔内から係合するピンローラのピンが相対的に退避して、キャリアテープの送り孔側のテープ幅方向の一方側をガイドする第１のテープガイド部とテープ幅方向の一方側のキャリアテープの送り孔と係合するピンローラのローラ本体部との間からテープ幅方向に移動可能になるように、第１のテープガイド部がピンローラに対して相対的にテープ厚み方向またはテープ幅方向に離間可能に構成され、
ピンローラのピンが送り孔から退避した状態の第１の副テープ経路上のキャリアテープが第１および第２のテープガイド部の間を通過して第１の副テープ経路の下方向に位置する第２の副テープ経路上に移動できるように、キャリアテープをガイドする第１および第２のテープガイド部が互いに離れている、部品供給装置。
【請求項２】
キャリアテープの送り孔側とは反対側のテープ幅方向の他方側をガイドする第２のテープガイド部とテープ幅方向の一方側のキャリアテープの送り孔と係合するピンローラとを支持するピンローラ支持部をさらに有し、
ピンローラ支持部がキャリテープの送り孔側のテープ幅方向の一方側をガイドする第１のテープガイド部に対して、ピンローラのローラ本体部と第２のテープガイド部がテープ厚み方向に離間する方向に移動することにより、第２のテープガイド部が第１の副テープ経路上のキャリアテープをねじりつつ該キャリアテープの上方側に移動し、それにより第１の副テープ経路上のキャリテープがその下方の第２の副テープ経路上に移動する、請求項１に記載の部品供給装置。
【請求項３】
ピンローラ支持部の移動によってピンローラのピンが第１の副テープ経路上のキャリアテープの送り孔内からテープ厚み方向に退避するときに、ピンの退避方向と反対方向に送り孔側であるキャリアテープのテープ幅方向の一方側をピンローラの近傍で押さえるテープ押さえ部をさらに有する、請求項２に記載の部品供給装置。
【請求項４】
第１および第２のテープガイド部の少なくと一方が、テープ幅方向に弾性変形可能な材料から作製されている、請求項１〜３のいずれか一項に記載の部品供給装置。
【請求項５】
第２のテープガイド部のテープ送り方向の上流側の端が、第１のテープガイド部のテープ送り方向の上流側端に比べてテープ送り方向の下流側にずれて配置されている、請求項１〜４のいずれか一項に記載の部品供給装置。
【請求項６】
第１および第２のテープガイド部それぞれが、キャリアテープのテープ幅方向の端面それぞれと対向して該キャリアテープのテープ幅方向位置の位置決めまたは案内を行うテープ幅方向のガイドを、キャリアテープの送り孔と係合しているピンローラのピンに対してテープ送り方向の上流側に少なくとも備える、請求項１〜５のいずれか一項に記載の部品供給装置。
【請求項７】
複数の送り孔がテープ長手方向に並んでそれぞれ形成されている第１および第２のキャリアテープを、順次、テープ長手方向であるテープ送り方向に送る部品供給方法において、
主テープ経路と、主テープ経路のテープ送り方向の上流側端にそれぞれ接続され、テープ厚み方向の異なる位置にそれぞれ配置された第１および第２の副テープ経路とがあって、
第２のテープ経路の上方に位置する第１の副テープ経路上の第１のキャリアテープにおけるテープ幅方向の一方側および他方側それぞれを第１および第２のテープガイド部によって下方側よりガイドしながら、第１のキャリアテープを主テープ経路および第１の副テープ経路に沿ってテープ送り方向に送り、
第１のテープガイド部との間に薄いキャリアテープが通過可能なテープ厚み方向が少なくとも０．１５ｍｍの間隙を形成するように配置されて一方向に回転するローラ本体部および該ローラ本体部の外周部に設けられて第１の副テープ経路上のキャリアテープのテープ幅方向の一方側に位置する送り孔に係合するピンを備えるピンローラにより、送り孔にピンが係合しているキャリアテープのテープ送り方向に対する逆方向の移動を規制し、
第１のテープガイド部がピンローラに対して相対的にテープ厚み方向またはテープ幅方向に離間させることにより、ピンローラのピンを第１の副テープ経路上のキャリアテープの送り孔内から退避させ、キャリアテープの送り孔側のテープ幅方向の一方側をガイドする第１のテープガイド部とテープ幅方向の一方側のキャリアテープの送り孔と係合するピンローラのローラ本体部との間から第１の副テープ経路上の第１のキャリアテープをテープ幅方向に移動可能な状態にし、
ピンローラのピンが送り孔から退避した状態の第１の副テープ経路上の第１のキャリアテープを第１および第２のテープガイド部の間を通過させて第２の副テープ経路上に配置し、
第１のキャリアテープと異なる第２のキャリアテープを、第１のテープガイド部とピンローラの本体部の間に挿入し、且つ、その送り孔にピンローラのピンを係合させることにより、第１の副テープ経路上に配置する、部品供給方法。
【発明の詳細な説明】
【技術分野】
【０００１】
本発明は、キャリアテープの部品収容部に収容された部品を供給する部品供給装置および部品供給方法に関する。
【背景技術】
【０００２】
従来より、基板に部品を実装する部品実装装置の移戴ヘッドのノズルに部品を供給するために、キャリアテープが使用されている。キャリアテープは、部品を収容する凹部状またはエンボス状の複数の部品収容部がテープ長手方向に並んで形成された主面を有するベーステープと、部品が収容された状態の複数の部品収容部を覆うようにベーステープの主面に貼り付けられたトップテープとを備える。部品実装装置の移戴ヘッドのノズルがキャリアテープの部品収容部内の部品を吸着できるように、トップテープはベーステープの主面から剥離される。
【０００３】
例えば、特許文献１には、刃先を備えるトップテープ剥離部材を用いることによってベーステープからトップテープを剥離することが開示されている。具体的には、テープ長手方向（テープ送り方向）に送られるキャリアテープのテープ経路上にトップテープ剥離部材が配置されている。テープ送り方向に移動中のキャリアテープの前端側からトップテープとベーステープとの間にテープ送り方向にトップテープ剥離部材の刃先が進入することにより、トップテープがベーステープから剥離される。
【０００４】
また、例えば特許文献１に記載された部品供給装置は、複数のキャリアテープを順次テープ長手方向に送るように構成されている。具体的には、キャリアテープは、その裏面（主面に対して反対側のベーステープの面）と対向するガイド部材によってガイドされ、部品実装装置に対して部品を供給する位置である部品供給位置に向かってテープ長手方向（テープ送り方向）に送られる。部品供給位置で部品実装装置に対して部品を供給している先のキャリアテープ（先行キャリアテープ）の主面に重なる状態で、先のキャリアテープの次に部品供給位置で部品を供給する予定の後のキャリアテープ（後続キャリアテープ）が待機する。先行キャリアテープの主面に裏面が重なる状態で配置されている後続キャリアテープが先行キャリアテープとともに移動しないように、後続キャリアテープのテープ送り方向の前端にストッパー部材が接触している。なお、先行キャリアテープは、ストッパー部材の下方を通過して部品供給位置に向かって移動している。
【０００５】
先行キャリアテープのテープ送り方向の後端が後続キャリアテープのテープ送り方向の前端を通過すると（先行のキャリアテープと後続のキャリアテープの重なりが解消すると）、後続キャリアテープがキャリアテープの裏面をガイドするガイド部材上に配置される。具体的には、待機中の後続キャリアテープが先行キャリアテープ（すなわち先行キャリアテープの裏面をテープ厚み方向にガイドするガイド部材）に向かってテープ付勢部材によってテープ厚み方向に付勢されている（言い換えると、先行キャリアテープと後続キャリアテープがテープ付勢部材とガイド部材との間にテープ厚み方向に挟持されている）。先行キャリアテープのテープ送り方向の後端が後続キャリアテープのテープ送り方向の前端を通過すると、後続キャリアテープがテープ付勢部材にテープ厚み方向に付勢されてガイド部材上に配置される。その結果、後続キャリアテープが、先行キャリアテープに続いて、ガイド部材にガイドされながら部品供給位置に向かって送られる。
【先行技術文献】
【特許文献】
【０００６】
【特許文献１】特開２０１１−２１１１６９号公報
【発明の概要】
【発明が解決しようとする課題】
【０００７】
ところで、特許文献１に記載された部品供給装置の場合、テープ付勢部材とガイド部材との間に先行キャリアテープとともに挟持された状態で待機している後続キャリアテープが、テープ付勢部材とガイド部材との間から、テープ送り方向に対して逆方向に意図せず容易に抜ける可能性がある。すなわち、部品供給位置に向かうテープ経路上で待機していた後続キャリアテープが該テープ経路上から外れる可能性がある。その結果、先行キャリアテープに続いて後続キャリアテープを送ることができなくなる。
【０００８】
また、特許文献１に記載された部品供給装置は後続キャリアテープをテープ付勢部材によりテープ厚み方向に付勢されている先行キャリアテープの主面とそのテープ付勢部材との間に割り込ませるように構成されているため、薄いキャリアテープは、先行キャリアテープの主面とテープ付勢部材との間に進入できずに曲がる可能性がある。その結果、薄い後続キャリアテープを先行キャリアテープの主面とテープ付勢部材との間に容易に待機させることができない可能性がある。
【０００９】
そこで、本発明は、部品実装装置に対して先行して部品を供給している先行のキャリアテープに続いて、次に部品を供給する予定の後続のキャリアテープを部品実装装置に対して部品を供給する位置である部品供給位置に向かって送ることができるように、キャリアテープが薄い場合であっても、部品供給位置に向かうテープ経路上に後続のキャリアテープを確実に待機させることを課題とする。
【課題を解決するための手段】
【００１０】
上述の課題を解決するために、本発明の第１の態様によれば、
複数の送り孔がテープ長手方向に並んでそれぞれ形成されている複数のキャリアテープを、順次、テープ長手方向であるテープ送り方向に送る部品供給装置において、
主テープ経路と、
主テープ経路のテープ送り方向の上流側端にそれぞれ接続され、テープ厚み方向の異なる位置にそれぞれ配置される第１および第２の副テープ経路と、
第２のテープ経路の上方に位置する第１の副テープ経路上のキャリアテープにおけるテープ幅方向の一方側および他方側をそれぞれ下方側よりガイドする第１および第２のテープガイド部と、
第１のテープガイド部との間に薄いキャリアテープが通過可能なテープ厚み方向が少なくとも０．１５ｍｍの間隙を形成するように配置されて一方向に回転するローラ本体部および該ローラ本体部の外周部に設けられて第１の副テープ経路上のキャリアテープのテープ幅方向の一方側に位置する送り孔に係合するピンを備え、送り孔にピンが係合しているキャリアテープのテープ送り方向に対する逆方向の移動を規制するピンローラと、を有し、
第１の副テープ経路上のキャリアテープがその送り孔内から係合するピンローラのピンが相対的に退避して、キャリアテープの送り孔側のテープ幅方向の一方側をガイドする第１のテープガイド部とテープ幅方向の一方側のキャリアテープの送り孔と係合するピンローラのローラ本体部との間からテープ幅方向に移動可能になるように、第１のテープガイド部がピンローラに対して相対的にテープ厚み方向またはテープ幅方向に離間可能に構成され、
ピンローラのピンが送り孔から退避した状態の第１の副テープ経路上のキャリアテープが第１および第２のテープガイド部の間を通過して第１の副テープ経路の下方向に位置する第２の副テープ経路上に移動できるように、キャリアテープをガイドする第１および第２のテープガイド部が互いに離れている、部品供給装置が提供される。
【００１１】
本発明の第２の態様によれば、
キャリアテープの送り孔側とは反対側のテープ幅方向の他方側をガイドする第２のテープガイド部とテープ幅方向の一方側のキャリアテープの送り孔と係合するピンローラとを支持するピンローラ支持部をさらに有し、
ピンローラ支持部がキャリテープの送り孔側のテープ幅方向の一方側をガイドする第１のテープガイド部に対して、ピンローラのローラ本体部と第２のテープガイド部がテープ厚み方向に離間する方向に移動することにより、第２のテープガイド部が第１の副テープ経路上のキャリアテープをねじりつつ該キャリアテープの上方側に移動し、それにより第１の副テープ経路上のキャリテープがその下方の第２の副テープ経路上に移動する、第１の態様に記載の部品供給装置が提供される。
【００１２】
本発明の第３の態様によれば、
ピンローラ支持部の移動によってピンローラのピンが第１の副テープ経路上のキャリアテープの送り孔内からテープ厚み方向に退避するときに、ピンの退避方向と反対方向に送り孔側であるキャリアテープのテープ幅方向の一方側をピンローラの近傍で押さえるテープ押さえ部をさらに有する、第２の態様に記載の部品供給装置が提供される。
【００１３】
本発明の第４の態様によれば、
第１および第２のテープガイド部の少なくと一方が、テープ幅方向に弾性変形可能な材料から作製されている、第１〜第３の態様のいずれか一に記載の部品供給装置が提供される。
【００１４】
本発明の第５の態様によれば、
第２のテープガイド部のテープ送り方向の上流側の端が、第１のテープガイド部のテープ送り方向の上流側端に比べてテープ送り方向の下流側にずれて配置されている、第１から第４の態様のいずれか一に記載の部品供給装置が提供される。
【００１５】
本発明の第６の態様によれば、
第１および第２のテープガイド部それぞれが、キャリアテープのテープ幅方向の端面それぞれと対向して該キャリアテープのテープ幅方向位置の位置決めまたは案内を行うテープ幅方向のガイドを、キャリアテープの送り孔と係合しているピンローラのピンに対してテープ送り方向の上流側に少なくとも備える、第１〜第５の態様のいずれか一に記載の部品供給装置が提供される。
【００１６】
本発明の第７の態様によれば、
複数の送り孔がテープ長手方向に並んでそれぞれ形成されている第１および第２のキャリアテープを、順次、テープ長手方向であるテープ送り方向に送る部品供給方法において、
主テープ経路と、主テープ経路のテープ送り方向の上流側端にそれぞれ接続され、テープ厚み方向の異なる位置にそれぞれ配置された第１および第２の副テープ経路とがあって、
第２のテープ経路の上方に位置する第１の副テープ経路上の第１のキャリアテープにおけるテープ幅方向の一方側および他方側それぞれを第１および第２のテープガイド部によって下方側よりガイドしながら、第１のキャリアテープを主テープ経路および第１の副テープ経路に沿ってテープ送り方向に送り、
第１のテープガイド部との間に薄いキャリアテープが通過可能なテープ厚み方向が少なくとも０．１５ｍｍの間隙を形成するように配置されて一方向に回転するローラ本体部および該ローラ本体部の外周部に設けられて第１の副テープ経路上のキャリアテープのテープ幅方向の一方側に位置する送り孔に係合するピンを備えるピンローラにより、送り孔にピンが係合しているキャリアテープのテープ送り方向に対する逆方向の移動を規制し、
第１のテープガイド部がピンローラに対して相対的にテープ厚み方向またはテープ幅方向に離間させることにより、ピンローラのピンを第１の副テープ経路上のキャリアテープの送り孔内から退避させ、キャリアテープの送り孔側のテープ幅方向の一方側をガイドする第１のテープガイド部とテープ幅方向の一方側のキャリアテープの送り孔と係合するピンローラのローラ本体部との間から第１の副テープ経路上の第１のキャリアテープをテープ幅方向に移動可能な状態にし、
ピンローラのピンが送り孔から退避した状態の第１の副テープ経路上の第１のキャリアテープを第１および第２のテープガイド部の間を通過させて第２の副テープ経路上に配置し、
第１のキャリアテープと異なる第２のキャリアテープを、第１のテープガイド部とピンローラの本体部の間に挿入し、且つ、その送り孔にピンローラのピンを係合させることにより、第１の副テープ経路上に配置する、部品供給方法が提供される。
【発明の効果】
【００１７】
本発明によれば、部品実装装置に対して先行して部品を供給している先行のキャリアテープに続いて、次に部品を供給する予定の後続のキャリアテープを部品実装装置に対して部品を供給する位置である部品供給位置に向かって送ることができるように、キャリアテープが薄い場合であっても、部品供給位置に向かうテープ経路上に後続のキャリアテープを確実に待機させることができる。
【図面の簡単な説明】
【００１８】
【図１】本発明の一実施の形態に係る部品供給装置の概略的構成図
【図２】キャリアテープをテープ厚み方向に見た図
【図３】部品供給装置の本体部にキャリアテープが投入されていない状態であって、図１に示す部品供給装置の部品投入口近傍の拡大図
【図４】図３に示すＢ−Ｂ線断面図
【図５】一部の図示が省略されたテープ保持ユニットの斜視図
【図６】一本のキャリアテープが部品供給装置の本体部に投入されている状態を示す、部品供給装置の部品投入口近傍の拡大図
【図７】テープ厚み方向の上方向に相対的に移動中のキャリアテープの状態を示すテープ保持ユニットの断面図
【図８】図７に続く状態であって、第１の副テープ経路から第２の副テープ経路に向かってテープ厚み方向の下方向に移動中のキャリアテープの状態を示すテープ保持ユニットの断面図
【図９】図８に続く状態であって、第１の副テープ経路から第２の副テープ経路への移動が完了したキャリアテープの状態を示すテープ保持ユニットの断面図
【図１０】図９に対応する部品供給装置の部品投入口近傍の拡大図
【図１１】二本のキャリアテープが部品供給装置の本体部に投入されている状態を示す、部品供給装置の部品特入口近傍の拡大図
【図１２】別の実施の形態に係る、一部の図示が省略されたテープ保持ユニットの斜視図
【発明を実施するための形態】
【００１９】
以下、本発明の実施の形態について、図面を参照しながら説明する。
【００２０】
図１は、本実施の形態の部品供給装置の構成を概略的に示している。
【００２１】
本実施の形態の部品供給装置１０は、部品実装装置の移戴ヘッド１００のノズル１０２に対して部品を供給するように構成されている。具体的には、部品供給装置１０は、図２に示すキャリアテープ２００をその長手方向（テープ送り方向Ａ）に部品供給位置Ｑ１に向かって送り、その部品供給位置Ｑ１でキャリアテープ２００に収容された部品を移戴ヘッド１００のノズル１０２に供給するように構成されている。
【００２２】
なお、本実施の形態においては、詳細は後述するが、部品供給位置Ｑ１に向かって送られるキャリアテープ２００が移動する複数のテープ経路が存在する。複数のテープ経路それぞれにおけるキャリアテープ２００の「テープ送り方向Ａ」は、部品実装装置の移載ヘッド１００のノズル１０２に対して部品を供給する位置である部品供給位置Ｑ１に向かってキャリアテープ２００が送られるテープ送り方向を意味する。
【００２３】
図２は、キャリアテープ２００の前端側部分（テープ送り方向Ａへのテープの移動時において前側になる端側部分（前端２１０））を示している。なお、図２に示す直交座標系ｕ−ｖ−ｗにおいて、ｕ軸方向はテープ幅方向に対応し、ｖ軸方向はテープ長手方向に対応し、ｗ軸方向はテープ厚み方向に対応している。
【００２４】
図２に示すように、キャリアテープ２００は、部品実装装置の移戴ヘッド１００のノズル１０２に供給される部品を収容する複数の部品収容部２０２がテープ長手方向（ｖ軸方向）に並んで形成された主面２０４ａを備えるベーステープ２０４と、部品を収容した状態の部品収容部２０２を覆うようにベーステープ２０４の主面２０４ａに貼り付けられたトップテープ２０６とを有する。また、キャリアテープ２００は、そのベーステープ２０４にテープ長手方向に並んで形成され、テープ厚み方向（ｗ軸方向）に貫通する複数の送り孔２０８を有する。
【００２５】
図２に示すように、トップテープ２０６は、送り孔２０８が形成された部分を除くベーステープ２０４の主面２０４ａの部分に貼り付けられている。
【００２６】
図１に戻り、部品供給装置１０は、本体部１２と、本体部１２内に形成された主テープ経路Ｐ０と、主テープ経路Ｐ０に沿ってキャリアテープ２００をテープ長手方向のテープ送り方向Ａに送るためのテープ送り機構としての複数のスプロケット１４〜１８と、ベーステープ２０４からトップテープ２０６を剥離するためのトップテープ剥離部２０とを有する。
【００２７】
部品供給装置１０の本体部１２の主テープ経路Ｐ０の始端側（テープ送り方向Ａの上流側の端側）には、キャリアテープ２００を本体部１２内に投入するためのテープ投入口１２ａが設けられている。なお、キャリアテープ２００は、トップテープ２０６が貼り付けられた側であるベーステープ２０４の主面２０４ａを上方に向けた状態でテープ長手方向（テープ送り方向Ａ）にテープ投入口１２ａに投入される。
【００２８】
また、トップテープ剥離部２０によってトップテープ２０６を剥離されたベーステープ２０４における部品収容部２０２内の部品を部品実装装置の移戴ヘッド１００のノズル１０２が上方から吸着できるように、主テープ経路Ｐ０の上方に配置された部品取り出し口１２ｂを部品供給装置１０は備える。すなわち、部品取り出し口１２ｂが、移戴ヘッド１００のノズル１０２が部品を吸着する位置である部品供給位置Ｑ１に設けられている。
【００２９】
複数のスプロケット１４〜１８は、主テープ経路Ｐ０に沿ってキャリアテープ２００をテープ長手方向であるテープ送り方向Ａに送るために、主テープ経路Ｐ０に設けられている。複数のスプロケット１４〜１８は、その歯１４ａ〜１８ａがキャリアテープ２００の送り孔２０８に係合した状態で回転することにより、キャリアテープ２００を主テープ経路Ｐ０に沿ってテープ送り方向Ａに、部品取り出し口１２ｂ（部品供給位置Ｑ１）に向かって送る。
【００３０】
部品供給装置１０のトップテープ剥離部２０は、トップテープ２０６を剥離するためのブレード状部材であって、部品供給位置Ｑ１で移載ヘッド１００のノズル１０２が部品を吸着できるように、部品供給位置Ｑ１に対してテープ送り方向Ａの上流側のトップテープ剥離位置Ｑ２でベーステープ２０４からトップテープ２０６を順次、剥離する。
【００３１】
具体的には、トップテープ剥離部２０は、トップテープ剥離位置Ｑ２に配置された刃先２０ａを備える。トップテープ剥離部２０の刃先２０ａは、スプロケット１６によって主テープ経路Ｐ０に沿ってテープ送り方向Ａに送られているキャリアテープ２００のテープ送り方向Ａの前端２１０側から、ベーステープ２０４とトップテープ２０６との間に進入する。トップテープ剥離部２０の刃先２０ａがベーステープ２０４とトップテープ２０６との間に進入した状態で、キャリアテープ２００がテープ送り方向Ａに送られることにより、トップテープ２０６がベーステープ２０４から連続的に剥離される。それにより、部品収容部２０２に収容されている部品が外部に露出する。その結果、部品実装装置の移載ヘッド１００のノズル１０２が、トップテープ剥離位置Ｑ２に対してテープ送り方向Ａの下流側に位置する部品供給位置Ｑ１で、外部に露出した部品を部品取り出し口１２ｂを介して取り出すことができる。
【００３２】
なお、トップテープ２０６は、部品収容部２０２に収容されている部品が外部に露出するように、そのテープ幅方向全体がベーステープ２０４から剥離されてもよいし、または、テープ幅方向の一部がベーステープ２０４から部分的に剥離されてもよい。剥離に代わって、トップテープ２０６は、切断されて開封されてもよい。すなわち、部品収容部２０２内から部品を移載ヘッド１００のノズル１０２が取り出すことができるように、部品が収容されている部品収容部２０２上からトップテープ２０４を取り除くことができればよい。
【００３３】
また、本実施の形態の部品供給装置１０は、複数のキャリアテープ２００を、順次、部品供給位置Ｑ１に向かってテープ送り方向Ａに送るように構成されている。すなわち、部品供給位置Ｑ１で部品を部品実装装置の移載ヘッド１００のノズル１０２に供給している最中の先行のキャリアテープ（先行キャリアテープ）２００に続いて、次に部品を供給する予定の後続のキャリアテープ（後続キャリアテープ）２００を送るように、部品供給装置１０は構成されている。以下、先行のキャリアテープと後続のキャリアテープとを区別して説明する必要がある場合、先行のキャリアテープの符号には「Ａ」を付与し、後続のキャリアテープの符号には「Ｂ」を付与する。
【００３４】
図３は、部品供給装置１０の部品投入口１２ａ近傍の拡大図である。なお、図３は、部品供給装置１０の本体部１２にキャリアテープが投入されていない状態を示している。
【００３５】
複数のキャリアテープ２００を、順次、部品供給位置Ｑ１に向かってテープ送り方向Ａに送るために、本実施の形態の部品供給装置１０は、図３に示すように、主テープ経路Ｐ０のテープ送り方向Ａの上流側端にそれぞれ接続された第１および第２の副テープ経路Ｐ１およびＰ２を有する。
【００３６】
具体的には、主テープ経路Ｐ０は、部品供給装置１０の本体１２のテープ投入口１２ａ側から部品供給位置Ｑ１に向かってテープ送り方向Ａに延在する。第１の副テープ経路Ｐ１は、図示しないテープリール（キャリアテープの第１の供給リール）からテープ投入口１２ａにおける主テープ経路Ｐ０のテープ送り方向Ａの上流側端Ｐ０’に向かって延在する。一方、第２の副テープ経路Ｐ２は、図示しない別のテープリール（キャリアテープの第２の供給リール）から主テープ経路Ｐ１のテープ送り方向Ａの上流側端Ｐ０’に向かって延在する。すなわち、第１および第２のテープ経路Ｐ１、Ｐ２は、主テープ経路Ｐ０のテープ送り方向Ａの上流側端Ｐ０’で合流する。
【００３７】
また、テープ投入口１２ａの近傍において、第１の副テープ経路Ｐ１は、第２の副テープ経路Ｐ２の上方に位置する。
【００３８】
本実施の形態の場合、第１の副テープ経路Ｐ１は、主テープ経路Ｐ０のテープ送り方向Ａの上流側端Ｐ０’に対して、例えば水平方向（Ｙ軸方向）に接続する。一方、第２の副テープ経路Ｐ２は、第１の副テープ経路Ｐ１の下方に位置し、主テープ経路Ｐ０のテープ送り方向Ａの上流側端Ｐ０’に対してテープ送り方向Ａで、例えば斜め上方向（鉛直方向であるＺ軸方向と水平方向であるＹ軸方向の間の方向）に接続する。すなわち、第１の副テープ経路Ｐ１と第２のテープ経路Ｐ２は、テープ厚み方向（Ｚ軸方向）の異なる位置にそれぞれ配置されている。
【００３９】
詳細は後述するが、先行キャリアテープ２００Ａおよび後続キャリアテープ２００Ｂの両方が部品供給装置１０の本体部１２に配置されている場合、先行キャリアテープ２００Ａは第２の副テープ経路Ｐ２上に配置され、後続キャリアテープ２００Ｂは第１の副テープ経路Ｐ１上に配置される。
【００４０】
図３に示すように、部品供給装置１０は、テープ投入口１２ａのテープ送り方向Ａの上流側に、第１の副テープ経路Ｐ１上に配置されたキャリアテープ２００をテープ送り方向Ａに移動可能に保持するテープ保持ユニット３０を有する。
【００４１】
図４は、図３に示すＢ−Ｂ線断面図であって、具体的には、第１の副テープ経路Ｐ１上のキャリアテープ２００のテープ長手方向と直交する（テープ送り方向Ａに見た）テープ保持ユニット３０の断面を示している。図５は、一部の図示が省略されたテープ保持ユニット３０の斜視図である。
【００４２】
テープ保持ユニット３０は、第１の副テープ経路Ｐ１に沿ってキャリアテープ２００が移動するように該キャリアテープ２００をガイドする第１および第２のテープガイド部３２Ｌ、３２Ｒと、第１の副テープ経路Ｐ１上にてテープ送り方向Ａに移動されるキャリアテープ２００を保持するピンローラ３４とを有する。
【００４３】
図４および図５に示すように、本実施の形態の場合、第１および第２のテープガイド部３２Ｌ、３２Ｒは、キャリアテープ２００の少なくともテープ厚み方向（Ｚ軸方向）のガイドを行うテープガイドとして機能するガイドブロック３６Ｌ、３６Ｒと、キャリアテープ２００のテープ幅方向（Ｘ軸方向）のガイドまたは案内を行うテープガイドとして機能する固定ブラケット３８および可動ブラケット４０（特許請求の範囲の「ピンローラ支持部」に対応）とによって構成されている。
【００４４】
ガイドブロック３６Ｌ、３６Ｒは、ブロック状の部材であって、図４に示すように、第１の副テープ経路Ｐ１上のキャリアテープ２００におけるベーステープ２０４の裏面（主面２０４ａと反対側の面）２０４ｂ側に配置され、第１の副テープ経路Ｐ１上のキャリアテープ２００を下方側よりそれぞれガイドする。具体的には、送り孔２０８側であるキャリアテープ２００のテープ幅方向（ｘ軸方向）の一方側がガイドブロック３６Ｌ上に載置され、一方、送り孔２０８側に対して反対側であるテープ幅方向の他方側がガイドブロック３６Ｒ上に載置される。
【００４５】
また、理由は後述するが、第１および第２のテープガイド部３２Ｌ、３２Ｒ（ガイドブロック３６Ｌ、３６Ｒ）は、第１の副テープ経路Ｐ１上のキャリアテープ２００におけるテープ幅方向（ｘ軸方向）に互いに対向した状態で且つ間隔をあけてテープ保持ユニット３０に設けられている。
【００４６】
図３〜図５に示すように、第１のテープガイド部３２Ｌとして機能する固定ブラケット３８は、プレート状であって、第１の副テープ経路Ｐ１上のキャリアテープ２００の送り孔２０８側を水平方向（Ｙ軸方向）にテープ送り方向Ａに延在するように配置され、部品供給装置１０の本体部側１２に固定されている、固定ブラケット３８はまた、第１の副テープ経路Ｐ１に配置されたキャリアテープ２００におけるテープ幅方向（Ｘ軸方向）の送り孔２０８側の端面（側面）２０４ｃに対向する内側面３８ａを備える。その固定ブラケット３８の内側面３８ａにガイドブロック３６Ｌは取り付けられている。
【００４７】
一方、第２のテープガイド部３２Ｒとして機能する可動ブラケット４０は、部品供給装置１０の本体部１２に対して移動可能に支持されている。具体的には、可動ブラケット４０は、図４に示すように、例えば薄板を折り曲げることによって構成され、それにより、キャリアテープ２００のテープ幅方向（Ｘ軸方向）に対向する２つの側壁部４０ａ、４０ｂと、側壁部４０ａ、４０ｂを連結する天板部４０ｃとを備える。すなわち、天板部４０ｃのテープ幅方向の両端それぞれから下方に向かって側壁部４０ａ、４０ｂが延在している。
【００４８】
可動ブラケット４０の側壁部４０ｂは、第１の副テープ経路Ｐ１上のキャリアテープ２００における送り孔２０８側とは反対側のテープ幅方向（Ｘ軸方向）の端面（側面）２０４ｄに対向する内側面４０ｄを備える。その可動ブラケット４０の側壁部４０ｂの内側面４０ｄにガイドブロック３６Ｒは取り付けられている。
【００４９】
また、固定ブラケット３８の内側面３８ａおよび可動ブラケット４０における側壁部４０ｂの内側面４０ｄは、キャリアテープ２００のテープ幅方向位置（Ｘ軸方向位置）を位置決めし、第１の副テープ経路Ｐに沿ってキャリアテープ２００が案内されてテープ送り方向Ａに移動するようにガイドする。
【００５０】
このような第１および第２のテープガイド部３２Ｌ、３２Ｒは、テープ幅方向のガイド（固定ブラケット３８の内側面３８ａおよび可動ブラケット４０における側壁部４０ｂの内側面４０ｄ）とテープ厚さ方向のガイド（ガイドブロック３６Ｌ、３６Ｒ）とをすることにより、キャリアテープ２００は第１の副テープ経路Ｐ１に沿ってテープ送り方向Ａに移動することができる。
【００５１】
なお、理由は後述するが、ピンローラ３４が設けられる可動ブラケット４０は、第１の副テープ経路Ｐ１上のキャリアテープ２００におけるテープ幅方向（Ｘ軸方向）に延在する回転中心線Ｃ１を中心として旋回可能に、部品供給装置１０の本体部１２のテープ投入口１２ａのテープ送り方向Ａの上流側に支持されている。具体的には、図３に示すように、可動ブラケット４０は、側壁部４０ａから延在するアーム部４０ｅを備え、このアーム部４０ｅを介して部品供給装置１０の本体部１２に旋回可能（第１の副テープ経路Ｐ１上のキャリアテープ２００に対して上方向に離れる方向に移動可能）に支持されている。
【００５２】
図３および図４に示すように、ピンローラ３４は、ローラ本体部３４ａと、ローラ本体部３４ａの外周部３４ｂに設けられて第１の副テープ経路Ｐ１上のキャリアテープ２００における送り孔２０８に係合する複数のピン（歯）３４ｃとを備える。
【００５３】
本実施の形態の場合、第１の副テープ経路Ｐ１上のキャリアテープ２００に対してテープ厚み方向の上方向に相対的に移動可能なピンローラ３４のローラ本体部３４ａは、円筒形状であって、第１の副テープ経路Ｐ１上のキャリアテープ２００におけるテープ幅方向（Ｘ軸方向）に延在する回転中心線Ｃ２を中心として回転する。ピンローラ３４のローラ本体部３４ａはまた、第１のテープ経路Ｐ１上のキャリアテープ２００におけるベーステープ２０４の主面２０４ａに対向する外周部３４ｂを備える。その外周部３４ｂと第１および第２のテープガイド部３２Ｌ、３２Ｒのガイドブロック３６Ｌ、３６Ｒとの間に予めキャリアテープ２００が通過可能な間隙ｌを形成するように、ピンローラ３４はテープ保持ユニット３０に配置されている。例えば、部品供給装置１０に使用される可能性がある特に薄いキャリアテープ（例えば０．２５〜０.６ｍｍ）が通過可能なテープ厚み方向（Ｚ軸方向）の寸法（例えば、０．１５〜０．５ｍｍ）を備える間隙が形成される。すなわち、ピンローラ３４のローラ本体部３４ａとガイドブロック３６Ｌ、３６Ｒとの間の間隙は、薄いキャリアテープ２００が容易に通過してテープ詰まりが発生しにくいテープ厚み方向の寸法（少なくとも０．１５ｍｍ以上の相対的な間隔ｌ）を備える。なお、間隙ｌは少なくともキャリアテープ２００の送り孔２０８側であるテープ幅方向の一方側のガイドブロック３６Ｌとピンローラ本体部３４ａとの間に形成されればよく、一方、テープ幅方向の他方側のガイドブロック３６Ｒとピンローラ本体部３４ａとの間の間隙は、間隙ｌ以上の寸法（例えば、間隙ｌの寸法＋０．５ｍｍ）であればよい。
【００５４】
図４に示すように、ピンローラ３４のローラ本体部３４ａの外周部３４ｂに、第１の副テープ経路Ｐ１上のキャリアテープ２００の送り孔２０８と係合する複数のピン（歯）３４ｃが設けられている。複数のピン３４ｃは、図３に示すように、ローラ本体部３４ａの回転中心線Ｃ２に対して放射方向に該ローラ本体部３４ａから突出している。このピン３４ｃが送り孔２０８に係合した状態でピンローラ３４のローラ本体部３４ａが回転中心線Ｃ２を中心としてキャリアテープ２００をテープ送り方向Ａへ送るように回転すると、キャリアテープ２００が第１の副テープ経路Ｐ１に沿って移動する。
【００５５】
なお、テープ投入口１２ａのテープ送り方向Ａの上流側に位置するピンローラ３４のピン３４ｃにキャリアテープ２００の送り孔２０８が容易に係合するように、第１および第２のテープガイド部３２Ｌ、３２Ｒは、第１の副テープ経路Ｐ１上のキャリアテープ２００の送り孔２０８に係合されるピンローラ３４のピン３４に対してテープ送り方向Ａの上流側からキャリアテープ２００を案内するようにガイドするのが好ましい。
【００５６】
すなわち、好ましくは、第１および第２のテープガイド部３２Ｌ、３２Ｒにおけるガイドブロック３６Ｌ、３６Ｒと固定ブラケット３８の内側面３８ａおよび可動ブラケット４０における側壁部４０ｂの内側面４０ｄとが、ピンローラ３４に対してテープ送り方向Ａの上流側からテープ送り方向Ａに延在するように構成される。
【００５７】
特に、第１および第２のテープガイド部３２Ｌ、３２Ｒは、テープ幅方向のガイドとして機能する固定ブラケット３８の内側面３８ａおよび可動ブラケット４０における側壁部４０ｂの内側面４０ｄを、キャリアテープ２００の送り孔２０８と係合されるピンローラ３４のピン３４ｃに対してテープ送り方向Ａの上流側に少なくとも備えるのが好ましい。これにより、ピンローラ３４のピン３４ｃとキャリアテープ２００の送り孔２０８とのテープ幅方向の位置（Ｘ軸方向位置）を合わせた（案内させた）状態で該キャリアテープ２００をピンローラ３４の下方を通過させることができる。その結果、ピンローラ３４のピン３４ｃにキャリアテープ２００の送り孔２０８を容易に係合させることができる。
【００５８】
また、ピンローラ３４は、送り孔２０８にピン３４ｃが係合しているキャリアテープ２００のテープ送り方向Ａに対する逆方向の移動を規制するように構成されている。具体的には、送り孔２０８にピン３４ｃが係合しているキャリアテープ２００のテープ送り方向Ａへの移動によって回転するピンローラ３４のローラ本体部３４ａの回転方向（図３において反時計回り方向）に対する逆方向に、ピンローラ３４のローラ本体部３４は回転不可能に構成されている。
【００５９】
本実施の形態の場合、ピンローラ３４のローラ本体部３４ａは、その内部に収容されたクラッチ機構（ワンウェイクラッチ）４２を介して支持シャフト４４に支持されている。支持シャフト４４は、第１の副テープ経路Ｐ１上のキャリアテープ２００におけるテープ幅方向（Ｘ軸方向）に延在する。また、シャフト４４の両端はそれぞれ、図４に示すように可動ブラケット４０の側壁部４０ａ、４０ｂに支持されている。
【００６０】
クラッチ機構４２は、支持シャフト４４に対するピンローラ３４のローラ本体部３４ａの回転方向を一方向に制限するように構成されている。すなわち、送り孔２０８にピン３４ｃが係合しているキャリアテープ２００がテープ送り方向Ａに移動することができる方向のローラ本体部３４ａの回転のみ許容するようにクラッチ機構４２は構成されている。
【００６１】
このようなピンローラ３４により、第１の副テープ経路Ｐ１上のキャリアテープ２００は、テープ送り方向Ａに対する逆方向への移動が規制される。すなわち、第１の副テープ経路Ｐ１上のキャリアテープ２００が、テープ送り方向Ａに対する逆方向に移動することにより、部品供給装置１０の本体部１２から意図せず抜けることが抑制される。その結果、キャリアテープ２００を第１の副テープ経路Ｐ１上に確実に待機させることができる。なお、キャリアテープ２００を意図して抜きたい場合、ピンローラ３４が設けられている可動ブラケット４０をテープ厚み方向に相対的に移動させて、キャリアテープ２００の上方へ離間させるように移動させることにより、ピン３４ｃとキャリアテープ２００の送り孔２０８の係合がはずれ、それによりキャリアテープ２００を意図して容易に抜くことができる。
【００６２】
また、図４に示すように、ピンローラ３４のローラ本体部３４は、第１の副テープ経路上のキャリアテープ２００の概ねテープ幅方向（Ｘ軸方向）全体にわたってそのベーステープ２０４の主面２０４ａと対向する外周部３４ｂを備えるが、本発明の実施の形態はこれに限らない。例えば、ローラ本体部３４の外周部３４ｂは、第１の副テープ経路Ｐ１上のキャリアテープ２００における送り孔２０８のみに対向するように構成してもよい。例えばスプロケットのように、ローラ本体部３４ａは、複数のピン３４ｃを形成することが可能な最小限のテープ幅方向（Ｘ軸方向）の大きさを備えてもよい。
【００６３】
上述したような第１および第２の副テープ経路Ｐ１およびＰ２を用いて、複数のキャリアテープ２００を、順次、部品供給位置Ｑ１に向かってテープ送り方向Ａに送る方法について説明する。
【００６４】
前提として、本実施の形態の部品供給装置１０は、部品供給装置１０の本体部１２にキャリアテープ２００を投入するとき、第１の副テープ経路Ｐ１を使用するように構成されている。例えば、図３に示すように、キャリアテープ２００が投入されていない状態の部品供給装置１０の本体部１２に対してキャリアテープ２００（すなわち先行キャリアテープ２００Ａ）を投入するときに、第１の副テープ経路Ｐ１が使用される。また例えば、部品供給装置１０の本体部１２に既に投入されているキャリアテープ２００（先行キャリアテープ２００Ａ）に続くキャリアテープ２００（後続キャリアテープ２００Ｂ）を部品供給装置１０の本体部１２に投入するときに、第１の副テープ経路Ｐ１が使用される。
【００６５】
図３に示すように、例えば作業者の手作業により、キャリアテープ２００（先行キャリアテープ２００Ａ）が第１の副テープ経路Ｐ１上に配置される。具体的には、まず、キャリアテープ２００（先行キャリアテープ２００Ａ）のテープ送り方向Ａの前端部が、テープ保持ユニット３０の第１および第２のテープガイド部３２Ｌ、３２Ｒのガイドブロック３６Ｌ、３６Ｒ上に配置される。
【００６６】
テープ保持ユニット３０の第１および第２のテープガイド部３２Ｌ、３２Ｒのガイドブロック３６Ｌ、３６Ｒ上に配置されたキャリアテープ２００（先行キャリアテープ２００Ａ）が、作業者の手作業によってテープ送り方向Ａに送られる。作業者によってテープ送り方向Ａに送られたキャリアテープ２００（先行キャリアテープ２００Ａ）は、テープガイド３６Ｌ、３６Ｒとピンローラ３４との間（間隙ｌ）に進入し、その送り孔２０８がピンローラ３４のピン３４ｃに係合する。送り孔２０８がピンローラ３４のピン３４ｃに係合すると、キャリアテープ２００（先行キャリアテープ２００Ａ）は、部品供給装置１０から意図せず抜けることがなくなる。
【００６７】
送り孔２０８にピン３４ｃが係合した状態のピンローラ３４を作業者がキャリアテープ２００をテープ送り方向Ａに送るように回転させると、キャリアテープ２００（先行キャリアテープ２００Ａ）が第１の副テープ経路Ｐ１に沿ってテープ送り方向Ａに部品供給装置１０の本体部１２の投入口１２ａ内に向かって送られる。
【００６８】
投入口１２ａを通過したキャリアテープ２００（先行キャリアテープ２００Ａ）は、作業者の手作業によるピンローラ３４の回転により、薄いキャリアテープであっても、テープ送り方向Ａに向かって確実に送られ、主テープ経路Ｐ０に沿ってテープ送り方向Ａの最も上流側に位置するスプロケット１４に向かう。
【００６９】
図６に示すように、スプロケット１４の歯１４ａにキャリアテープ２００（先行キャリアテープ２００Ａ）の送り孔２０８が係合すると、ピンローラ３４によるテープ送りが完了する。例えば作業者が「テープセット完了ボタン」等のボタンを押すことにより、また例えば送り孔２０８がスプロケット１４の歯１４ａに係合する主テープ経路Ｐ０上の位置にキャリアテープ２００が到達したことをセンサ（図示せず）が検出することにより、さらに例えば、ピンローラ３４の回転によって移動中のキャリアテープ２００によるスプロケット１４の回転の開始を検出することにより、歯１４ａにキャリアテープ２００（先行キャリアテープ２００Ａ）の送り孔２０８に係合した状態のスプロケット１４が回転し始める。
【００７０】
スプロケット１４の回転により、図６に示すように、キャリアテープ２００（先行キャリアテープ２００Ａ）は主テープ経路Ｐ０に沿ってテープ送り方向Ａにさらに下流側に位置するスプロケット１６に向かって送られる。スプロケット１６の歯１６ａにキャリアテープ２００（先行キャリアテープ２００Ａ）の送り孔２０８が係合すると、スプロケット１４は回転を停止し、自由に回転可能な自由回転状態（スプロケット１４を駆動するモータ（図示せず）の励磁が解除された状態）に移行する。
【００７１】
スプロケット１６によってテープ送り方向Ａに送られるキャリアテープ２００（先行キャリアテープ２００Ａ）は、図１に示すように、トップテープ剥離位置Ｑ１でトップテープ剥離部２０の刃先２０ａによってそのトップテープ２０６が剥離され、続いてトップテープ剥離部２０と部品供給位置Ｑ１との間に位置するスプロケット１８の歯１８ａにその送り孔２０８が係合する。そして、２つのスプロケット１６、１８によってキャリアテープ２００（先行キャリアテープ２００Ａ）はテープ送り方向Ａに部品供給位置Ｑ１に向かって送られる。
【００７２】
２つのスプロケット１６、１８によってテープ送り方向Ａに送られるキャリアテープ２００（先行キャリアテープ２００Ａ）は、図１に示すように、部品供給位置Ｑ１で部品実装装置の移載ヘッド１００のノズル１０２に対してトップテープ２０６の剥離によって外部に露出した部品を供給する。
【００７３】
先行キャリアテープ２００が部品実装装置の移載ヘッド１００のノズル１０２に対して部品を供給している最中の任意のタイミングに、先行キャリアテープ２００Ａに続いて次に部品を供給する予定の後続キャリアテープ２００Ｂが本体部１２に配置される。具体的には、図６に示すように第１の副テープ経路Ｐ１上を移動する先行キャリアテープ２００Ａが第２の副テープ経路Ｐ２に移動され、それにより空いた第１の副テープ経路Ｐ１に後続キャリアテープ２００Ｂが配置される。このことについて説明する。
【００７４】
先行キャリアテープ２００Ａの第１の副テープ経路Ｐ１から第２の副テープ経路Ｐ２への移動は、テープ保持ユニット３０の可動ブラケット４０を回転中心線Ｃ１を中心として旋回させることによって実行される。
【００７５】
図６に示すように先行キャリアテープ２００Ａが第１の副テープ経路Ｐ１上をテープ送り方向Ａに移動している状態から、作業者がテープ保持ユニット３０の可動ブラケット４０を回転中心線Ｃ１を中心として旋回させる。
【００７６】
先行キャリアテープ２００Ａの主面２０４ａ側に配置されたテープ保持ユニット３０の可動ブラケット４０の旋回により、図７に示すように、可動ブラケット４０に支持されているピンローラ３４および第２のテープガイド部３２Ｒが上昇する、すなわち第１の副テープ経路Ｐ１上の先行キャリアテープ２００Ａの主面２０４ａ側から離間する方向に移動する。
【００７７】
テープ保持ユニット３０の可動ブラケット４０の旋回によってピンローラ３４が上昇すると、固定ブラケット３８の第１のテープガイド部３２Ｌ（ガイドブロック３６Ｌ）がピンローラ３４に対して相対的にテープ厚み方向（Ｚ軸方向）に離間する方向に移動する。それにより、先行キャリアテープ２００Ａの送り孔２０８に係合しているピンローラ３４のピン３４ｃが（図４参照）、図７に示すように第１の副テープ経路Ｐ１上の先行キャリアテープ２００Ａの送り孔２０８内から相対的に退避する。その結果、先行キャリテープ２００Ａは、送り孔２０８側の第１のテープガイド部３２Ｌ（ガイドブロック３６Ｌ）とピンローラ３４のローラ本体部３４ａとの間からテープ幅方向（Ｘ軸方向）に移動可能な状態にされる。
【００７８】
また、テープ保持ユニット３０の可動ブラケット４０の旋回によって第２のテープガイド部３２Ｒ（ガイドブロック３６Ｒ）が先行キャリアテープ２００Ａの主面２０４ａ側から離間する方向に上昇すると、ガイドブロック３６Ｒ上に載置されている先行キャリアテープ２００Ａのテープ幅方向の他方側（送り孔２０８側の反対側）が持ち上げられる。これにより、先行キャリアテープ２００Ａは部分的にねじれる（図７において、点線はねじれる前の先行キャリアテープ２００Ａを示す）。具体的には、先行キャリアテープ２００Ａは、第２のテープガイド部３２Ｒ近傍を中心として旋回し、第２のテープガイド部３２Ｒ（ガイドブロック３６Ｒ）近傍の部分が他の部分に比べてねじれる。
【００７９】
図７に示すように送り孔２０８側とは反対側であるテープ幅方向の他方側が持ち上がるように先行キャリアテープ２００Ａがねじれた状態からさらに可動ブラケット４０の第２のテープガイド部３２Ｒ（ガイドブロック３６Ｒ）が上昇すると、図８に示すように、先行キャリアテープ２００Ａのテープ幅方向の他方側が、ガイドブロック３６Ｒ上からすべり落ち、ねじれを解消しつつガイドブロック３６Ｒの下方に移動する。
【００８０】
図８に示すように、第２のテープガイド部３２Ｒが先行キャリアテープ２００Ａより上に相対的に上昇し、送り孔２０８側とは反対側である先行キャリアテープ２００Ａのテープ幅方向の他方側が第２のテープガイド部３２Ｒ（ガイドブロック３６Ｒ）の支持を失うと、先行キャリアテープ２００Ａは下方に落下する。すなわち、第１の副テープ経路Ｐ１上の先行キャリアテープ２００Ａは、第１および第２のテープガイド部３２Ｌ、３２Ｒの間を通過し、第１の副テープ経路Ｐ１の下方に存在する第２の副テープ経路Ｐ２に向かって移動する。これにより、図９および図１０に示すように、先行キャリアテープ２００Ａは、第１の副テープ経路Ｐ１から第２の副テープ経路Ｐ２に移動される。
【００８１】
ここで、第１の副テープ経路Ｐ１上のキャリアテープ２００を下方側よりガイド（支持）するためのガイド部材が、テープ保持ユニット３０の第１および第２のテープガイド部３２Ｌ、３２Ｒ（ガイドブロック３６Ｌ、３６Ｒ）とに分かれている理由について説明する。
【００８２】
例えば、第１の副テープ経路Ｐ１上のキャリアテープ２００を下方側より１つのガイド部材がガイド（支持）する場合を考える。この場合、第１の副テープ経路Ｐ１上からその下方に位置する第２の副テープ経路Ｐ２上にキャリアテープ２００を移動させるとき、第１および第２の副テープ経路Ｐ１、Ｐ２の間に位置する１つのガイド部材を迂回するようにキャリアテープ２００を移動させる必要がある。すなわち、キャリアテープ２００のテープ幅方向位置（Ｘ軸方向位置）を大きく変える必要がある。そのために、１つのガイド部材をキャリアテープ２００が迂回するためのスペースを確保する必要がある。
【００８３】
このような１つのガイド部材をキャリアテープ２００が迂回するためのスペースを設けると、部品供給装置１０のテープ幅方向（Ｘ軸方向）のサイズを必然的に大きくする必要がある。その結果、１台の部品実装装置に対してテープ幅方向（Ｘ軸方向）に密に並べた状態で搭載される部品供給装置１０の搭載数は減少する。
【００８４】
一方、図４に示すように、第１の副テープ経路Ｐ１上のキャリアテープ２００をテープ幅方向（Ｘ軸方向）に分かれた第１および第２のテープガイド部３２Ｌ、３２Ｒ（ガイドブロック３６Ｌ、３６Ｒ）がテープ幅方向の両端側の下方からガイド（支持）する場合、第１の副テープ経路Ｐ１上からその下方に位置する第２の副テープ経路Ｐ２上にキャリアテープ２００を移動させるとき、そのキャリアテープ２００は、第１および第２のテープガイド部３２Ｌ、３２Ｒの間を通るように容易に通過することができる。すなわち、キャリアテープ２００は、テープ幅方向位置（Ｘ軸方向位置）を大きく変えることなく、第１の副テープ経路Ｐ１上からその下方の第２の副テープ経路Ｐ２上に移動することができる。したがって、部品供給装置１０のテープ幅方向（Ｘ軸方向）のサイズを小さくすることができる。
【００８５】
なお、テープ保持ユニット３０の可動ブラケット４０の旋回によってピンローラ３４が上昇するときに、そのピン３４ｃが第１の副テープ経路Ｐ１上のキャリアテープ２００（先行キャリアテープ２００Ａ）の送り孔２０８内からテープ厚み方向（Ｚ軸方向）に確実に退避できる（係合が解除される）ようにするのが好ましい。
【００８６】
本実施の形態の場合、図７に示すように、第１の副テープ経路Ｐ１上のキャリアテープ２００（先行キャリアテープ２００Ａ）の送り孔２０８内からテープ厚み方向（Ｚ軸方向）にピンローラ３４のピン３４ｃが上昇して退避するときに、ピン３４ｃの退避方向（すなわちテープ厚み方向）側のキャリアテープ２００Ａの主面２０４ａ側で、送り孔２０８側であるキャリテープのテープ幅方向（Ｘ軸方向）の一方側を押さえるテープ押さえ部４６を有する。
【００８７】
テープ押さえ部４６は、図４に示すように、テープ保持ユニット３０の固定ブラケット３８の内側面３８ａから、第１の副テープ経路Ｐ１上のキャリアテープ２００の送り孔２０８の上方に向かって延在する部材（または固定ブラケット３８の部分）である。テープ押さえ部４６はまた、本実施の形態の場合、図３に示すように、第１のテープ押さえ部３２Ｌに対してテープ送り方向Ａの下流側に位置する。
【００８８】
テープ保持ユニット３０の可動ブラケット４０の旋回によってピンローラ３４および第２のテープガイド部３２Ｒが上昇するときに、テープ押さえ部４６がキャリアテープ２００（先行キャリアテープ２００Ａ）をその上方から押さえることにより、ピンローラ３４のピン３４ｃがキャリアテープ２００（先行キャリアテープ２００Ａ）の送り孔２０８から確実に退避することができる。すなわち、ピンローラ３４および第２のテープガイド部３２Ｒとともに、キャリアテープ２００（先行キャリアテープ２００Ａ）が第１の副テープ経路Ｐ１から上方に移動することが抑制される。
【００８９】
また、図８に示すようにテープ保持ユニット３０の可動ブラケット４０の旋回によって第２のテープガイド部３２Ｒがキャリアテープ２００（先行キャリアテープ２００Ａ）の下方側から上方側に移動した後、可動ブラケット４０を逆方向に旋回させることにより、第２のテープガイド部３２Ｒによってキャリアテープ２００（先行キャリアテープ２００Ａ）を下方の第２の副テープ経路Ｐ２に向かって押し下げてもよい。これは、例えば、第２のテープガイド部３２Ｒがキャリアテープ２００（先行キャリアテープ２００Ａ）の下方側から上方側に移動した後に、そのキャリアテープ２００（先行キャリアテープ２００Ａ）が自然落下しにくい場合に（例えば大きいテープ厚さを備えるキャリアテープの場合に）有効である。
【００９０】
図９および図１０に示すように、先行キャリアテープ２００Ａが第１の副テープ経路Ｐ１から第２の副テープ経路Ｐ２上に移動すると、空いた第１の副テープ経路Ｐ１に後続キャリアテープ２００Ｂを配置することが可能になる。
【００９１】
後続キャリアテープ２００Ｂは、先行キャリアテープ２００Ａと同様に、作業者の手作業により、そのテープ送り方向前端部が、テープ保持ユニット３０の第１および第２のテープガイド部３２Ｌ、３２Ｒのガイドブロック３６Ｌ、３６Ｒ上に載置される。ガイドブロック３６Ｌ、３６Ｒに載置された後続キャリアテープ２００Ｂは、作業者の手作業によるテープ送り方向Ａへのテープ送りにより、ピンローラ３４の下方を通過し、その送り孔２０８にピンローラ３４のピン３４ｃが係合する。これにより、後続キャリアテープ２００Ｂは、意図せず抜けることなく第１の副テープ経路Ｐ１上で確実に待機可能である。
【００９２】
なお、本実施の形態の部品供給装置１０は、第２の副テープ経路Ｐ２および主テープ経路Ｐ０に沿ってテープ送り方向Ａに送られている先行キャリアテープ２００Ａに続いて、第１の副テープ経路Ｐ１上で待機する後続キャリアテープ２００Ｂを自動的に送り始める自動テープ送り機構５０を有する。
【００９３】
まず、後続キャリアテープ２００Ｂの送りを自動テープ送り機構５０によって自動的に開始するために、図１１に示すように、後続キャリアテープ２００Ｂのテープ送り方向Ａの前端２１０Ｂが第１の副テープ経路Ｐ１から主テープ経路Ｐ０に入った状態で、後続キャリアテープ２００Ｂは待機する。具体的には、作業者がピンローラ３４を回転させることにより、後続キャリアテープ２００Ｂのテープ送り方向Ａの前端２１０Ｂが第１の副テープ経路Ｐ１から主テープ経路Ｐ０に入れられる。
【００９４】
また、主テープ経路Ｐ０に入った後続キャリアテープ２００Ｂのテープ送り方向Ａの前端２１０Ｂが第２の副テープ経路Ｐ２および第１の副テープ経路Ｐ１に沿ってテープ送り方向Ａに送られている先行キャリアテープ２００Ａに重なった状態で、後続キャリアテープ２００Ｂは待機する。
【００９５】
そのために、主テープ経路Ｐ０上のキャリアテープ２００に対して上方に配置されて対向する本体部１２の上側ガイド面１２ｃおよび該キャリアテープ２００に対して下方に配置されて対向する下側ガイド面１２ｄは、テープ投入口１２ａの近傍において、テープ厚み方向に重なり合う二本のキャリアテープ２００が通過可能な間隙をあけている。
【００９６】
図１１に示すように、自動テープ送り機構５０は、テープ送り方向Ａの最も上流側に配置されたスプロケット１４と、主テープ経路Ｐ０上のキャリアテープ２００をスプロケット１４に向かって付勢する付勢ブロック５２と、後続キャリアテープ２００Ｂを待機させるストッパー５４とを有する。
【００９７】
自動テープ送り機構５０の付勢ブロック５２は、主テープ経路Ｐ０を挟んでスプロケット１４に対向するように配置され、主テープ経路Ｐ０上（すなわち本体部１２の上側ガイド面１２ｃと下側ガイド面１２ｄとの間に配置された）キャリアテープ２００をスプロケット１４に向かって付勢するように構成されている。具体的には、図３に示すように、付勢ブロック５２は、下側ガイド面１２ｄからスプロケット１４に向かって進退可能であって、図示しない付勢部材（例えばバネ）によってスプロケット１４に向かって付勢されている。図３の二点鎖線は、下側ガイド面１２ｄから後退した状態の付勢ブロック５２を示している。
【００９８】
一方、付勢ブロック５２に対向するスプロケット１４の歯１４ａは、図３に示すように、上側ガイド面１２ｃから付勢ブロック５２に向かって突出している。
【００９９】
上側ガイド面１２ｃと下側ガイド面１２ｄとの間に配置されたキャリアテープ２００は、付勢ブロック５２に付勢されて上側ガイド面１２ｃに当接し、その送り孔２０８がスプロケット１４の歯１４ａに係合する。
【０１００】
なお、付勢ブロック５２とスプロケット１４との間に、先行キャリアテープ２００Ａと後続キャリアテープ２００Ｂとが重なり合う状態で存在する場合、上側の後続キャリアテープ２００Ｂの送り孔２０８にスプロケット１４の歯１４ａが係合する。
【０１０１】
自動テープ送り機構５０のストッパー５４は、本体部１２の上側ガイド面１２ｃから下側ガイド面１２ｄに向かって進退可能なテープ係止部５４ａを備える。
【０１０２】
図１１に示すように、第２の副テープ経路Ｐ２および主テープ経路Ｐ０に沿ってスプロケット１６（またはスプロケット１６、１８）（図１参照）によってテープ送り方向Ａに送られている先行キャリアテープ２００Ａ上に重なる後続キャリアテープ２００Ｂのテープ送り方向Ａの前端２１０Ｂに、ストッパー５４のテープ係止部５４ａが接触する。その結果、先行キャリアテープ２００Ａのテープ送り方向Ａへの移動とともに、後続キャリアテープ２００Ｂが部品供給位置Ｑ１に向かって移動することが抑制される。
【０１０３】
付勢ブロック５２とスプロケット１４との間にキャリアテープ２００が存在しない場合または一本のキャリアテープ２００のみ存在する場合、ストッパー５４のテープ係止部５４ａは、図３および図６に示すように、上側ガイド面１２ｃから後退している。
【０１０４】
なお、例えば、ストッパー５４のテープ係止部５４ａの進退は、付勢ブロック５２の進退に連動して実行される。例えば、付勢ブロック５４とスプロケット１４との間に二本のキャリアテープ２００が存在するときの位置に付勢ブロック５２が下がり、それによりストッパー５４のテープ係止部５４ａは上側ガイド面１２ｃから下方に突出する。
【０１０５】
このような自動テープ送り機構５０を部品供給装置１０が有することにより、第１の副テープ経路Ｐ１上で待機している後続キャリアテープ２００Ｂを、第２の副テープ経路Ｐ２および主テープ経路Ｐ０に沿ってテープ送り方向Ａに送られている先行キャリアテープ２００Ａに続いて自動的に送ることができる。
【０１０６】
以上、本実施の形態によれば、部品実装装置の移載ヘッド１００のノズル１０２に対して先行して部品を供給している先行のキャリアテープ２００Ａに続いて、次に部品を供給する予定の後続のキャリアテープ２００Ｂを部品供給位置にＱ１に向かって送ることができるように、キャリアテープ２００が薄い場合であっても、部品供給位置Ｑ１に向かう第１の副テープ経路Ｐ１上に後続のキャリアテープ２００Ｂを確実に待機させることができる。
【０１０７】
上述の実施の形態を挙げて本発明を説明したが、本発明は上述の実施の形態に限定されない。
【０１０８】
例えば、上述の実施の形態の部品供給装置１０の場合、図５に示すように、テープ保持ユニット３０の第１および第２のテープガイド部３２Ｌ、３２Ｒは、テープ幅方向（Ｘ軸方向）に対向するが、本発明の実施の形態はこれに限らない。
【０１０９】
例えば別の実施の形態に係る部品供給装置のテープ保持部１３０の場合、図１２に示すように、第２のテープガイド部１３２Ｒ（それに支持されたガイドブロック３６Ｒ）のテープ送り方向Ａの上流側端が、第１のテープガイド部１３２Ｌ（それに支持されたガイドブロック３６Ｌ）のテープ送り方向Ａの上流側端に比べてテープ送り方向Ａの下流側にずれて配置される。これにより、第１の副テープ経路Ｐ１上のキャリアテープ２００は、第１および第２のテープガイド部１３２Ｌ、１３２Ｒの間をテープ厚み方向（上下方向）に通過しやすくなり、第１の副テープ経路Ｐ１の下方に位置する第２の副テープ経路Ｐ２に落ちやすく（移動しやすく）なる（第１および第２のテープガイド部がテープ幅方向に対向する場合に比べて）。
【０１１０】
また、テープ保持ユニット３０の第１および第２のテープガイド部３２Ｌ、３２Ｒの間を、第１の副テープ経路Ｐ１上のキャリアテープ２００が第２の副テープ経路Ｐ２に向かって容易に通過できるように、第１および第２のテープガイド部３２Ｌ、３２Ｒの少なくとも一方を、テープ幅方向（Ｘ軸方向）に弾性変形可能な材料を用いて作製してもよい。例えば、上述の実施の形態の場合、テープ保持ユニット３０の固定ブラケット３８および可動ブラケット４０の少なくとも一方が、樹脂材料から作製されてもよい。
【０１１１】
さらに、第１の副テープ経路Ｐ１上に待機する後続キャリアテープ２００Ｂを、第２の副テープ経路Ｐ２および主テープ経路Ｐ０に沿ってテープ送り方向Ａに送られている先行キャリアテープ２００Ａに続いて自動的に送る自動テープ送り機構は、上述の実施の形態の自動テープ送り機構に限らない。
【０１１２】
例えば、別の形態の自動テープ送り機構は、第２の副テープ経路Ｐ２および主テープ経路Ｐ０に沿ってテープ送り方向に送られている先行キャリアテープ２００Ａのテープ送り方向Ａの後端を検出し、部品供給装置１０の本体部１２のテープ投入口１２ａに設けられたセンサ（図示せず）と、テープ保持ユニット３０のピンローラ３４を回転させるためのモータ（図示せず）とを有する。
【０１１３】
テープ投入口１２ａに設けられたセンサが先行キャリアテープ２００Ａの後端を検出すると、モータがピンローラ３４を回転させる。これにより、第１の副テープ経路Ｐ１上に待機する後続キャリアテープ２００Ｂが、先行キャリアテープ２００Ａに続いて部品供給位置Ｑ１に向かって送られる。
【０１１４】
さらに上述の実施の形態の部品供給装置１０の場合、第１の副テープ経路Ｐ１上からその下方の第２の副テープ経路Ｐ２上への先行キャリアテープ２００Ａの移動は、テープ保持ユニット３０の可動ブラケット４０を手作業で旋回させることによって実行される。これに代わって、モータなどの駆動源が可動ブラケット４０を旋回させてもよい。
【０１１５】
加えて、上述の実施の形態の場合、テープ保持ユニット３０の可動ブラケット４０の旋回により、図７に示すように、第１の副テープ経路Ｐ１上の先行キャリアテープ２００Ａの送り孔２０８にピン３４ｃが係合しているピンローラ３４とともに、送り孔２０８とは反対側の先行キャリアテープ２００Ａのテープ幅方向（Ｘ軸方向）の他方側を下方からガイドする第２のテープガイド部３２Ｒ（ガイドブロック３６Ｒ）が上昇する。しかし、本発明の実施の形態は、これに限らない。
【０１１６】
別の実施の形態の部品供給装置は、ピンローラ３４のみが第１の副テープ経路Ｐ１上の先行キャリアテープ２００Ａから上方向に離間するように構成されている。例えば、作業者は、ピンローラ３４を移動させることにより、ピンローラ３４のピン３４ｃを先行キャリアテープ２００Ａの送り孔２０８内から退避させる。次に、作業者は、先行キャリアテープ２００Ａをつかみ、つかんだ先行キャリアテープ２００Ａを第１および第２のテープガイド部３２Ｌ、３２Ｒの間を通過させ、第２の副テープ経路Ｐ２上に配置する。これにより、第１の副テープ経路Ｐ１からその下方に位置する第２の副テープ経路Ｐ２への先行キャリアテープ２００Ａの移動が完了する。
【０１１７】
すなわち、本発明は、広義には、複数の送り孔がテープ長手方向に並んでそれぞれ形成されている複数のキャリアテープを、順次、テープ長手方向であるテープ送り方向に送る部品供給装置において、主テープ経路と、主テープ経路のテープ送り方向の上流側端にそれぞれ接続され、テープ厚み方向の異なる位置にそれぞれ配置される第１および第２の副テープ経路と、第２のテープ経路の上方に位置する第１の副テープ経路上のキャリアテープにおけるテープ幅方向の一方側および他方側をそれぞれ下方側よりガイドする第１および第２のテープガイド部と、第１のテープガイド部との間に薄いキャリアテープが通過可能なテープ厚み方向が少なくとも０．１５ｍｍの間隙を形成するように配置されて一方向に回転するローラ本体部および該ローラ本体部の外周部に設けられて第１の副テープ経路上のキャリアテープのテープ幅方向の一方側に位置する送り孔に係合するピンを備え、送り孔にピンが係合しているキャリアテープのテープ送り方向に対する逆方向の移動を規制するピンローラと、を有し、第１の副テープ経路上のキャリアテープがその送り孔内から係合するピンローラのピンが相対的に退避して、キャリアテープの送り孔側のテープ幅方向の一方側をガイドする第１のテープガイド部とテープ幅方向の一方側のキャリアテープの送り孔と係合するピンローラのローラ本体部との間からテープ幅方向に移動可能になるように、第１のテープガイド部がピンローラに対して相対的にテープ厚み方向またはテープ幅方向に離間可能に構成され、ピンローラのピンが送り孔から退避した状態の第１の副テープ経路上のキャリアテープが第１および第２のテープガイド部の間を通過して第１の副テープ経路の下方向に位置する第２の副テープ経路上に移動できるように、キャリアテープをガイドする第１および第２のテープガイド部が互いに離れている、部品供給装置である。
【産業上の利用可能性】
【０１１８】
本発明は、キャリアテープをテープ経路に沿って送りつつ、テープ経路上に配置されたトップテープ剥離部の刃先がキャリアテープのテープ送り方向の前端側からベーステープとトップテープとの間に進入することによってベーステープからトップテープを少なくとも部分的に剥離する部品供給装置であれば適用可能である。
【符号の説明】
【０１１９】
１０          部品供給装置
３２Ｌ        第１のテープガイド部
３２Ｒ        第２のテープガイド部
３４          ピンローラ
３４ａ        ローラ本体部
３４ｂ        外周部
３４ｃ        ピン
３８ａ          テープ幅方向ガイド部（固定ブラケットの内側面）
４０          ピンローラ支持部（可動ブラケット）
４０ａ        テープ幅方向ガイド部（可動ブラケットの内側面）
２００        キャリアテープ
２０８        送り孔
Ａ            テープ送り方向
Ｐ０          主テープ経路
Ｐ１          副テープ経路
Ｐ２          副テープ経路
【図１】
2015115412.tif 000003
【図２】
2015115412.tif 000004
【図３】
2015115412.tif 000005
【図４】
2015115412.tif 000006
【図５】
2015115412.tif 000007
【図６】
2015115412.tif 000008
【図７】
2015115412.tif 000009
【図８】
2015115412.tif 000010
【図９】
2015115412.tif 000011
【図１０】
2015115412.tif 000012
【図１１】
2015115412.tif 000013
【図１２】
2015115412.tif 000014